(57)【要約】【課題】  海域を仕切護岸で区切って構築する廃棄物の埋立処分場で、構造物の基部または、遮水シートの端部または遮水シートと遮水シートとの接続部、およびに遮水材の層を構築し、その遮水材の層を保護する保護板等を構築して処分場に投棄する廃棄物に対処させる。【解決手段】  遮水壁を構築する海底地盤には浅い凹溝２３を設けて、その上にケーソン２１を立設して遮水壁２０を構築する。前記ケーソンの基部に充満させた遮水材の層２５の上面に、コンクリートの強度の大きい板部材２８を隙間無く敷き詰めて、遮水材の層の上面を保護する遮水保護層としし、廃棄物の角等が強く当った場合でも遮水層が影響を受けることがないようにする。【選択図】        図４
2012112145.tif 000002
【特許請求の範囲】
【請求項１】
海底地盤上に護岸構造物を立設して構築し、前記遮水壁で囲まれた区域を外洋から水密に区画する仕切護岸として用いて、廃棄物を埋立処理する区域として区画する埋立地仕切護岸において、
前記遮水壁を構築する基礎地盤と、遮水構造物の基部との間を遮水処理するために、遮水材の層を設けるとともに、前記遮水材の層の上に遮水保護層を設けて、投棄処分される廃棄物や護岸構造物の背面に投入する裏込石を前記遮水保護層で受けて、前記遮水材の層の上に廃棄物が直接当らないように保護することを特徴とする埋立地仕切護岸の遮水材の層の保護工法。
【請求項２】
前記遮水壁の基部から遮水材の層を区画するように、押えブロック等の区画部材を配置し、前記区画された遮水材の層を含む区画を覆うように遮水保護層を構築し、
投棄処分される廃棄物や護岸構造物の背面に投入する裏込石を前記遮水保護層で受けて、前記遮水材の層の上に廃棄物が直接当らないように保護することを特徴とする請求項１に記載の埋立地仕切護岸の遮水材の層の保護工法。
【請求項３】
前記遮水壁の基部と遮水シートとの接続部、遮水シートと遮水シートとの接続部、および遮水シートの地盤表面側の端部と地盤との接続部には、前記遮水シートの位置決めのために、所定の間隔をおいて区画用の押えブロックを配置し、
前記区画内に遮水材を充満させた遮水材の層とし、その表面を強度の大きい遮水保護層として設けた保護板部材で覆い、
投棄処分される廃棄物や護岸構造物の背面に投入する裏込石を前記遮水保護層で受けて、前記遮水材の層の上に廃棄物が直接当らないように保護するものとし、
前記遮水壁の基部または遮水シートの端部、および、遮水シートと遮水シートとの接続部と遮水シートの地盤表面側の端部のそれぞれの部分で、前記遮水材を充満させた遮水材の層を保護する遮水保護層は、前記区画用の押えブロック間に打設するコンクリート系の層であることを特徴とする請求項１または２に記載の埋立地仕切護岸の遮水材の層の保護工法。
【請求項４】
前記遮水保護層は、既製のコンクリート板または金属板、弾性を有するマット類等の、所定の広さと強度を有する既製の板状部材であり、前記板状部材を隙間無く敷き詰めて構築するものであることを特徴とする請求項１または２に記載の埋立地仕切護岸の遮水材の層の保護工法。
【請求項５】
前記遮水保護層として設ける弾性を有するマット類として、アスファルトマットまたはゴムマットで構成した板状、版状の、強度と弾性を有し、所定の面積と厚さに構成した板状の既製の強度部材であることを特徴とする請求項１または２に記載の埋立地仕切護岸の遮水材の層の保護工法。
【発明の詳細な説明】
【技術分野】
【０００１】
本発明は、ケーソンのような大きな構造物を列状に設置して、埋立地を仕切る護岸を構築するに際して、埋立地側で発生する汚水を封じ込める働きを安定した状態に保ち、護岸と地盤の間を区画するために設ける遮水層で、その信頼性を向上させ得るようにする埋立地仕切護岸の遮水材の層の保護工法に関する。
【背景技術】
【０００２】
海域を所定の広さに仕切るように仕切護岸を構築して、前記護岸で仕切られた区画の内部に廃棄物等を投棄して埋立て処理を行うことは、従来公知の工法である。前記埋立地の仕切護岸は、水深１０ｍ程度までの比較的浅い海域、またはより深い海域でも所定の面積の範囲を囲むように、ケーソン等の構造物を列状に並べるようにして構築されているものが多い。
【０００３】
前記仕切護岸を構築する際に、その海底地盤を改良することが必要な場合、例えば、前記海底地盤が透水性の地盤である場合には、前記地盤を水が通らないようにする処理を行ってから、所定の深さと巾の凹溝を掘り下げて、その溝の中に構造物を立設する方法等が用いられる。前記地盤の上に護岸構造物の上にケーソン等の構造物を列状に並べて構築し、構造物の間の隙間をなくして遮水層とする処理を行って、廃棄物処理区域を外海と仕切るように設ける。
【０００４】
前記遮水工法の他に、海底地盤の上に捨石等を所定の高さに積み上げて、基礎マウンドとして構築し、そのマウンドの上に比較的背の低いケーソン等を列設して、仕切護岸とすることもある。その他に、その仕切護岸の表面全体と海底地盤の所定の範囲を、遮水シート等で覆って一体の遮水層とする工法も提案されている。そして、仕切護岸で囲まれた区画の内部に、産業廃棄物やその他の有害物を含む廃棄物等を投棄して、積み重ねて処理することが一般に行われている。
【０００５】
例えば、従来の廃棄物の海洋投棄を行うための仕切護岸の例としては、文献１に開示されるとともに、本願の基本的な仕切護岸の１つの例として説明する図１のように構成される。この図に関しては、後で詳細に説明するのであるが、海底地盤２の護岸を構築する地盤の部分が砂地のような遮水性がないところでは、不遮水性の地盤とする不等水性地盤改良の処理を行って、地盤改良部３を構築する。
【０００６】
前述したような処理を施して遮水層とする前記地盤改良部３の上に、石を積重ねて基礎マウンド４を構築し、その上にケーソン５を列状に立設してから、各ケーソンの接続部を遮水処理して遮水性を有する壁を構築する。前記ケーソンの列の埋立地９の側には、捨石などを投棄して保護層７、８を任意の厚さに設けて、各保護層の間には遮水シート１０、１１で仕切って、各層に区画して護岸全体での遮水処理を行い、廃棄物の埋立処分場で発生する有害成分を含んだ汚水を、仕切区画内に閉じ込めることが出来るようにしている（例えば、特許文献１を参照）。
【先行技術文献】
【特許文献】
【０００７】
【特許文献１】特開２００３−７１４０１
【０００８】
前記公知文献に開示されている遮水機構では、遮水シートの端部に対する充填作業を容易に行い得て、遮水性、追従性に富んだアスファルト混合物の遮水保護層により、遮水作用を発揮しているものであって、その保護層が傷つけられたりするような障害が発生すると、汚水を封止出来なくなる等の、重大な問題の原因となる。ところが、前述したような構成の遮水壁１と、その内側での遮水処理層を組み合わせて設ける遮水手段に対して、区画の内側部分に廃棄物を投棄した時に、遮水シートや遮水保護層の上に重い大きな塊や、大きな廃棄物の尖った角部が、遮水層の遮水シートや遮水保護層を突き破ったり、角が当ったままで強く押圧しながら、その上の廃棄物が大きな圧力を加える状態で積み重ねられることがある。
【発明の概要】
【発明が解決しようとする課題】
【０００９】
前述したように、投棄された廃棄物によって遮水シートや遮水保護層が破られたりすることを防ぐためと、各層を仕切るように配置する遮水シート１０等の端部を固定保持するために、押えブロック１４、１４ａ等を配置して、シートの下端部を地盤上に固定して保持させるような手段が用いられることもある。前記実施例において、押えブロック１２の地盤側端部に対しては、アスファルト層の中にシート端部を埋めて、固定保持するようにしている。
【００１０】
また、前記図１の例とは別に、遮水シート１０のケーソン５側の端部では、図６に示される例のように、ケーソン５の基部５ａと遮水シート１０の端部との間での遮水工１２として設けられることもある。前記遮水工１２において、前記ケーソン５の基部５ａでは、下部砕石層６の上に遮水シート１０の端部を延長させてから、所定の間隔をおいて押えブロック１２ａを配置してシート端部を固定・位置決めしてから、液状のアスファルト混合物を充填した充填層１３を設けて、前記ブロック１２ａとケーソンの基部との間に隙間が生じないようにしていることもある。
【００１１】
さらに、この説明図では、遮水シートの上下の面に沿わせて保護マット１２ｂ、１２ｃを配置しているが、このような遮水シートを保護マットとを組み合わせて用いることは、必要に応じて局部的に組み合わせて対応するもので、前記保護マットとしては任意の材質で任意の厚さのものが用いられている。前記図６に説明したようなシート端部の固定手段の他に、ケーソンの基部に対するシート接続部でも、アスファルト混合物で隙間を塞いだ上を、薄いシート等で覆うような手段を用いて、アスファルト混合物の層を保護することもある。
【００１２】
しかしながら、このようなシート端部の固定手段を用いる場合でも、埋立てられる廃棄物の中に混じっている塊の角が、遮水工１２の部分に突き刺さるように落下すると、前記シートが破壊されたりすることがある。さらに、遮水層に孔が開けられて役立なくなったり、シートが横にずれたりして、隣接するシート間に隙間が生じる等の不都合な状態が発生して、遮水保護層での遮水作用に重大な支障が発生することがある。
【課題を解決するための手段】
【００１３】
本発明は、海底地盤上に護岸構造物を立設して構築し、前記遮水壁で囲まれた区域を外洋から水密に区画する仕切護岸として用いて、廃棄物を埋立処理する区域として区画する埋立地仕切護岸での遮水材の層の保護工法に関する。
請求項１の発明は、前記遮水壁を構築する基礎地盤と、遮水構造物の基部との間を遮水処理するために、遮水材の層を設けるとともに、前記遮水材の層の上に遮水保護層を設けて、投棄処分される廃棄物や護岸構造物の背面に投入する裏込石を前記遮水保護層で受けて、前記遮水材の層の上に廃棄物が直接当らないように保護することを特徴とする。
【００１４】
請求項２の発明は、前記遮水壁の基部から遮水材の層を区画するように、押えブロック等の区画部材を配置し、前記区画された遮水材の層を含む区画を覆うように遮水保護層を構築し、
投棄処分される廃棄物や護岸構造物の背面に投入する裏込石を前記遮水保護層で受けて、前記遮水材の層の上に廃棄物が直接当らないように保護することを特徴とする。
【００１５】
請求項３の発明は、前記遮水壁の基部と遮水シートとの接続部、遮水シートと遮水シートとの接続部、および遮水シートの地盤表面側の端部と地盤との接続部には、前記遮水シートの位置決めのために、所定の間隔をおいて区画用の押えブロックを配置し、
前記区画内に遮水材を充満させた遮水材の層とし、その表面を強度の大きい遮水保護層として設けた保護板部材で覆い、投棄処分される廃棄物や護岸構造物の背面に投入する裏込石を前記遮水保護層で受けて、前記遮水材の層の上に廃棄物が直接当らないように保護するものとし、前記遮水壁の基部または遮水シートの端部、および、遮水シートと遮水シートとの接続部と遮水シートの地盤表面側の端部のそれぞれの部分で、前記遮水材を充満させた遮水材の層を保護する遮水保護層は、前記区画用の押えブロック間に打設するコンクリート系の層であることを特徴とする。
【００１６】
請求項４の発明は、前記遮水保護層は、既製のコンクリート板または金属板、弾性を有するマット類等の、所定の広さと強度を有する既製の板状部材であり、前記板状部材を隙間無く敷き詰めて構築するものであることを特徴とする。
【００１７】
請求項５の発明は、前記遮水保護層として設ける弾性を有するマット類として、アスファルトマットまたはゴムマットで構成した板状、版状の、強度と弾性を有し、所定の面積と厚さに構成した板状の既製の強度部材であることを特徴とする。
【発明の効果】
【００１８】
前述したように構成したことにより、埋立地を外海から区画して、仕切の内外に水を流通させないように設けた遮水性の仕切護岸においては、ケーソンの基部および遮水シートの自由側の端部を安定した状態で保護・固定出来る。そして、前記遮水材の層に対して、廃棄物中に含まれる塊等の角が局部的に強く押圧するように当って、遮水材の層に突き刺さるような従来工法では不都合な状態となるような捨て方をしても問題が発生しないように保護できる。
【００１９】
従って、本実施例では遮水材の層に対して、障害を与えるような廃棄物の投下処理を行ったとしても、遮水保護層がその衝撃を受けることで、遮水材の層を破損させたり、変形させたりして遮水性を損なうような影響を与えたりすることがない。
【００２０】
また、本願においては、前記構造物の基部に設ける遮水材の層の上を、厚いコンクリートまたは鉄板のような強度の大きい板状部材を敷き詰めて構成する遮水保護層で覆い、下部の遮水材の層と一体化するのみであり、その施工を容易に行うことが出来る。前記板状部材としては、アスファルトマット、ゴムマット等の板状、版状の強度が大きくて、弾力性を有するが上から押圧される圧力に耐え得る板状のものを用いることが出来る。
【００２１】
そして、前記遮水材の層に組み合わせて、遮水保護層として設ける保護用の覆い部材を板状部材で構成する場合には、前記板状部材を隙間無く敷き込むことで、遮水材の層の遮水性を維持出来る。そして、投下された廃棄物の角等が当るような、局部的な押圧作用が加えらる状態でも、遮水材の層の働きに影響を与えることがない。したがって、前述したような仕切護岸で囲まれた区域の内部で堆積されている堆積物や、有害成分に触れて汚染された水を仕切の区画内に封止し、廃棄物を外海から遮断した状態で保護できる。
【図面の簡単な説明】
【００２２】
【図１】本発明を適用可能な仕切護岸の構成を示す断面図である。
【図２】遮水シートの自由側端部の保護構造の説明図である。
【図３】図２とは別の保護構造の説明図である。
【図４】ケーソン基部での遮水層の保護構造の説明図である。
【図５】図４の保護構造の別の例の説明図である。
【図６】従来の遮水層の一部の構成の説明図である。
【発明を実施するための形態】
【００２３】
図示される例にしたがって、本発明の実施例を説明する。以下に説明する本発明の実施例において、ケーソンと呼ぶ構造物は箱状の大きな塊状の、従来より海洋土木で使用されている構造物一般を指している。例えば、コンクリートまたは鉄筋コンクリートの壁を、縦横に組み合わせて箱状に構成したもの、または、鋼材・鉄板を組み合わせて構成した護岸構造物一般を対象とすることが可能である。その他に、鋼材を組み合わせて作ったケーソン本体の外周部を、コンクリートの層で被覆して構成しているところの、いわゆるハイブリッドケーソンと呼ばれるもののような、大型のケーソンを含んで、任意の構造の大型のケーソンを対象とする。
【００２４】
図１に示す仕切護岸１の例において、前記護岸１は、海底地盤２の上に所定の高さに構築した基礎マウンド４の上に、ケーソン５を列状に立設して構築するもので、前記ケーソン５としては従来より用いられている任意の構造のものを対象とする。前記ケーソンを列状に並べて埋立処分場９を外海から区画するが、前記仕切護岸を構築する海底地盤が、砂地等のような透水性の地盤である場合には、護岸の厚さ方向に所定の巾で遮水層とする処理を行い、地盤改良部３としてから基礎マウンド４を施工する。
【００２５】
前述したようにして、ケーソンを立設してその基部と地盤との間で遮水処理を行って仕切り壁を構築してから、ケーソン５の基部５ａに砕石層６を任意の高さと巾に設け、その表面を覆うように遮水シート１０を敷設する。前記遮水シート１０の１端部は、押えブロック１２で固定し、遮水材の層を設けて、ケーソンとの間に隙間が生じないように接続する。前記遮水シート１０の他端部は、地盤改良した遮水層の上にまで延長して、押えブロック１４で固定して、遮水材の層を設けて遮水シートと地盤との間で遮水出来るようにしている。
【００２６】
前記遮水シート１０とケーソン５で区切られた区画内には、砕石などを積み重ねて中間保護層７を設け、その中間保護層７の斜面を覆うように遮水シート１１を敷設している。なお、前記中間保護層に代えて裏込石の層を設けても良く、前記中間保護層で代表される石の層は、ケーソンを設置した後で、ケーソン５により区画された埋立地側８（裏側）に投棄して構築される。
【００２７】
また、前記遮水シート１１の遮水層を構築した後で、ケーソンの上部の位置にまで延長される遮水シート端部に対しては、特に遮水処理を行う必要はないが、前記遮水シート１１の下端部は、押えブロック１４ａを配置して遮水材の層を設けて、地盤との間に隙間が生じないように設ける。そして、前記中間保護層７の外側（裏側）には、所定の厚さで砕石の層を構築した上部保護層８を設けて、前記保護層８の上に投棄する廃棄物等に対する仕切として用い、廃棄物の埋立を行うようにする。
【００２８】
前記仕切護岸で用いる遮水シート１０、１１の各々において、地盤側（自由側）でのシート端部を固定して安定させるためには、図２に説明するように、所定の間隔をおいてブロック１６、１６ａを配置して、シート端部を前記２つのブロックの間に位置させるようにする。そして、前記２つのブロックの間を埋めるようにアスファルト混合物を注入して遮水材の層１７とし、前記シートの自由側の端部をアスファルト混合物の層の中に押圧固定し、その上を所定の広さで覆うように保護板１８を敷いて保護する。
【００２９】
前記保護板１８は、鉄筋コンクリート製の所定の面積と厚さを有する板状体を用いるもので、その板状体の厚さと強度は、埋立地で従来捨てられていた廃棄物のデータや、実際の現場で捨てられると考えられる廃棄物の大きさや形状、重量などのデータを用いて設計され、投棄される廃棄物の塊等の衝撃に耐え得るように構成する。前記保護板１８は、現場でコンクリートを遮水層の上に水中で所定の厚さに打設して構築することも可能であるが、既製の板を現場で敷き込んで構築する方法を用いると容易に施工できる。
【００３０】
前記図２に説明した例とは別に、図３に説明する例では、シート端部を位置決めして区画するためのブロック１６、１６ａの間で、注入したアスファルト混合物による遮水材の層１７の上に配置する保護板１８の上にも、さらに板部材１８ａを追加配置して、保護作用をより良好に出来るようにしている。また、前記図示する例での下の保護板１８を省いて、上の保護板１８ａのみを設けてもよいもので、前記保護板１８、または１８ａは、遮水層の上に直接載置する状態とせずに、両側のブロックの上にそれぞれの端部を支持させると、固定保持状態を良好に維持出来る。
【００３１】
なお、前記図２、３に説明した例において、遮水シート１０の下面には保護マット１０ａを必要に応じて敷いており、さらに前記マットの下面では、地盤の凹凸を修正した補修部２ａを任意に構築するが、前記補修部には、アスファルト混合物の他に現場で入手出来る任意の不透水性材料を用いて施工することができる。また、前記保護板１８は、図３に符号１８ａを付しているように、両側のブロック１６、１６ａに支持させる大きさ（長さまたは巾）のものとして構成すれば、設置工事も容易に出来て、遮水層１７の上に投棄した廃棄物の圧力が、遮水材の層に直接加えられることがなくなる。
【００３２】
次に、図４に説明する実施例は、先に説明した実施例とは異なり、基礎マウンドを高く構築せずに、地盤を浅く掘削して設けた凹溝２３の中に、ケーソン２１の基部を据え付けて設置して、遮水層を構築する例で説明している。この実施例では、前記凹溝２３のケーソン基部の両側の隙間に、アスファルト混合物を注入した充填層２５を設け、地盤と一体化した遮水層を構築する例を説明しているのである。
【００３３】
前記ケーソンの基部を固定・保護するために用いる遮水材としては、施工性や透水品質等の点からみて、最も多く使用されているアスファルト混合物のような遮水材を用いるとよい。その他に、同様な遮水層としての働きを発揮出来るものであれば、現在一般に使用されている任意の種類の遮水材、例えばコンクリート系遮水材、土質系遮水材を用いても良い。
【００３４】
前記遮水材としては、それを施工する海域の条件や、現場で入手出来る材料に応じて、複数種類の材料を選択し、それらを適宜組み合わせて用いることも可能である。さらに、そのような材料を用いるためには、アスファルト系の遮水材と同様な流動性と施工性を有し、水中で施工した時に水に分散したりすることがなく、その施工性の問題が解決される等の条件を満足させ得るという条件を満たす必要がある。
【００３５】
図４に示す例では、ケーソン２１、２１・・・を１列状に設置して、各ケーソンの接続部を遮水処理して構築する遮水壁２０を、その断面図で説明しているものである。この例では、前記遮水壁２０を構築する海底地盤２が、上側に透水性の土の層または堆積層等の、透水性の地盤である場合には、その透水性の土の層にセメントミルクまたは、従来公知の硬化剤や遮水材を注入する等の処理を施して地盤改良処理を行って、その後に凹溝２３を掘り下げてから、ケーソンのような構造物を凹溝２３の底部に立設する基盤の工事を行う。
【００３６】
そして、護岸を構築する場所の地盤の岩盤等との全体を一体化した状態で、護岸を支持する海底地盤の所定の範囲を遮水処理層として構築する。前記地盤改良した遮水処理層は、遮水壁２０を支持する範囲に設けるもので、そのようにして処理した不透水性の処理部では、地盤が固くて透水性の小さい下部の地層２または堆積層の下の岩盤と一体化して、遮水壁と一体で埋立地を外洋と区画する遮水層としての作用を発揮させるようにする。
【００３７】
前記遮水壁２０を構築する部分には、前述したように、所定の巾と深さに凹溝２３を構築し、その凹溝２３の底面での凹凸を均し、必要に応じて捨石を敷並べて基礎石層２４を設ける。または、前記凹溝の底面に水中コンクリートの層を所定の厚さで構築して、構造物の支持面を平らに成形することで、前記支持層の上に１列状に構築するケーソン２１を、安定した状態で支持可能とする支持面を構築することもできる。
【００３８】
前記ケーソン２１は、前述したように、コンクリート製またはハイブリッド製、または鋼製ケーソンを任意に選択して用いることができる。そして、図示を省略するが、各ケーソンの間には、従来の一般に構築されている遮水壁と同様に、ゴム等の弾性を有する遮水材をシール部材として挟み込むことや、任意の弾性を有する遮水材とかアスファルト混合物を充填した遮水層を挿入して、ケーソンの間から水が漏れないようにする遮水処理が施される。
【００３９】
前述したように構築した凹溝２３の中に、ケーソン２１を１列状に立設して、各ケーソンの間にシール部材を挿入して遮水処理を行うと同時に、ケーソン２１の基部を埋めるように遮水材を注入して、凹溝２３のケーソンの海陸両側の基部部分での空隙部をなくす処理を行う。前記遮水材としては、海洋工事で一般的に多く使用されている遮水材と同様に、アスファルト混合物を使用することを念頭において説明しているもので、前記遮水材の流動性を利用して注入してケーソン２１の基部を埋めて、凹溝２３内に隙間が生じないように充填して処理する。
【００４０】
前記遮水材を施工してから、時間が経過するにしたがって、ケーソン２１の底にまで遮水材が流れて、基礎石層２４の石の隙間を埋める状態となれば、ケーソンの下部での遮水層を良好な状態で構築できたことになる。そして、前記ケーソンの基部が凹溝の中で隙間なく埋められることで、仕切護岸によって区画された埋立地の内部が、外海に対して水密に区画されて、廃棄物埋立処分場９内で発生した有害成分を含んだ汚水等が、区画の外に漏れ出ることを防止出来る。
【００４１】
前記図４に示す例においては、ケーソン２１の外洋側には、凹溝２３の端部から海側に向かって所定の間隔をおいて、端部ブロック３５を設けておき、前記ブロック３５とアスファルト混合物を充填した遮水層２５との間に盛土層３６を設けている。この盛土層としては、アスファルト混合物の流動性の小さいものを適当に盛るように施工して、土が露出しないようにしても良く、流動性のない海底の土を適当に盛ってもよい。
【００４２】
前記仕切護岸の埋立地側（裏側）には、ケーソン２１の斜面を遮水シート２２で覆うように敷設しており、前記遮水シート２２の下部の端部は、護岸２０の基部からアスファルト混合物を充填した遮水層２５の上を覆い、さらに、所定の距離を延長して設けた押えブロック２７が、シート端部を固定している。なお、前記遮水シート２２を配置することは、フェールセーフの概念にもとずいた多重安全システムを構築するために用いている。
【００４３】
前記遮水壁２０の埋立地側の基部と押えブロック２７との間に、比較的厚いコンクリートの層を遮水保護層２８として構築して設けている。前記コンクリートの層で構築する遮水保護層２８は、ケーソン２１の側面と押えブロック２７の間に、直接コンクリートを打設して設けることが出来るものであり、そのためには、コンクリートミキサーを装備した作業船を用いて、水中コンクリート等を打設して構築することが可能である。
【００４４】
そして、前記遮水材の層２５の上に遮水保護層２８を構築することで、後で区画内に投棄する廃棄物が直接遮水材の層に接しないように、前記遮水保護層２８が区画する作用を発揮する。前記遮水保護層として、コンクリートを現場で打設して構築することの他に、図５に示すように前記遮水保護層２８を、コンクリート板等の板状体、版状体を隙間無く並べて構築することも出来る。
【００４５】
前述したように、遮水保護層３０を既製の板状部材で構築する場合には、任意の厚さのコンクリート板を用いて構築することが可能であり、鉄筋を補強材として入れたコンクリート板で構成する手法を用いると良い。なお、前記コンクリート板３０を用いる場合には、任意の大きさに構築出来るとともに、凹溝２３の上から地盤の上の任意の範囲までを一体にして保護出来るので、ケーソンの基部に対する保護作用を良好に発揮できる。
【００４６】
また、前記実施例のように鉄筋コンクリート板等を用いることに代えて、耐腐食性を付与した金属製の板等を用いて、遮水材の層２５と隣接する地盤の所定の範囲を、一体として覆う保護部材とすることが出来る。前記金属製の板等を用いて、遮水材の層に対する遮水保護層を構築する場合にも、鉄板またはその他の金属を加工した板または版体を用いることが可能であり、その保護板の選択は、板部材のコストと施工性と耐久性などの条件を考慮して、適宜選択される。
【００４７】
前記図５に説明する例は、前記図４に説明した例が、透水性の地盤に対する例であったのと違って、硬く圧縮された透水性を持たない堆積岩などの、硬いの地盤等を対象とする場合を説明しているもので、水を通さない性質を有する地盤に、凹溝２３を掘り下げて設けている。そして、埋立てた廃棄物により護岸の内側から押される圧力や、外海側から打ち当てられる波浪の力に対して、ケーソンの基部を凹溝内で保持・保護して護岸を安定した状態で立設させて、その護岸により埋立地を保護する状態を安定して維持出来るように設置する。
【００４８】
前述したように、前記凹溝２３の孔底に捨石して基礎石層２４を設け、その上にケーソン２１を立設してから、前記ケーソンの基部を覆うようにアスファルト混合物２５を注入して遮水材の層を構築する。以上のような工程にしたがって、ケーソン基部を位置決め・立設する準備をすることが出来、その後で、前記図４に示した場合と同様にして、立設したケーソンの側面から遮水材の層２５と地盤を所定の範囲で覆うように、遮水保護層２８もしくは３０を構築する。
【００４９】
なお、前述したように、既製のコンクリート板を敷き詰めることで、遮水材の層を覆うように遮水保護層３０を設ける場合には、隣接させた板との間に遮水材を挟み込む等の、遮水材の層を保護させるための処理を同時に行うと良い。そして、前記コンクリート板の接続部に対しても、遮水性を持たせる処理を施すことで、遮水材の層に直接廃棄物や水が触れないように区画すると良い。
【００５０】
前記実施例に説明したように、既製の板状の部材を用いて遮水材の層を保護する層を構築する場合に、金属製の板のみでなく、プラスチック製の板部材を用いることも可能である。前記プラスチック製の板部材のように、比重の小さい材料を用いて覆い板を構成する場合には、その軽さを補って重いものとする調節を行うために、比重の大きい金属の塊等を混合して全体の比重を調節する等の加工をすれば、海中工事等にも十分使用が可能で、海水中での耐久性を確保出来るものとなる。
【００５１】
なお、本願に説明しているところの遮水保護層に用いるコンクリートの板等の部材は、その取り扱いが作業船に装備しているクレーンで行われるのであるから、例えば数トンまたはそれ以上の重量があっても、その重量に対しては大型のクレーンで容易に対応できるので、特にその板等の大きさと重さには制限がないと考えて良い。また、前記保護部材（覆い部材）としての１枚の板が、広くて重いものである程、現場で敷き込む工事での能率が良く、施工後の安定性が良好となるものであるから、出来るだけ重くて広い面積を一度にカバーできる板を施工すればよい。
【符号の説明】
【００５２】
１    仕切護岸、  ２    海底地盤、  ３    地盤改良部、  ４    基礎マウンド、
５    ケーソン、  ６    下部砕石層、  ７    中間保護層、  ８    上部保護層、
９    埋立処分場、  １０、１１    遮水シート、  １２    ケーソン基部遮水工、
１２ａ    押えブロック、  １２ｂ、１２ｃ    保護マット、  １３    アスファルト混合物層、
１４    押えブロック、  １５    シート押え工、  １６    ブロック、  １７    遮水材、
１８    遮水板、  ２０    仕切護岸、  ２１    ケーソン、  ２２    遮水シート、
２３    凹溝、  ２４    基礎石層、  ２５    アスファルト混合物層、  ２７    ブロック、
２８・３０    遮水保護層。
【図１】
2012112145.tif 000003
【図２】
2012112145.tif 000004
【図３】
2012112145.tif 000005
【図４】
2012112145.tif 000006
【図５】
2012112145.tif 000007
【図６】
2012112145.tif 000008